(57)【要約】 【課題】  物体内部がわずかに加熱された場合の内部の温度上昇を、温度計などを刺し入れることなく、非侵襲的に測定する方法を提供する。【解決手段】  物体をその物体の音速に近い音速を持った溶液（例えばグルコース溶液の濃度を変えることで作成）中に置き、加熱前と加熱後の音速分布を超音波ＣＴ法で測定する。音速は温度に依存するという性質を利用し、加熱後の音速分布から加熱前の音速分布を差し引き、あらかじめ求めておいた音速と温度の関係式からその音速差を温度に換算して温度上昇を求める。【選択図】  なし【特許請求の範囲】
【請求項１】
温度分布を求めようとする物体の音速に近い音速を持った媒質中にその物体を置き、超音波ＣＴ法を実行して加熱前後の音速分布を求め、それらを差し引くことにより加熱後の微小な温度上昇を測定する方法
【発明の詳細な説明】
【技術分野】
【０００１】
本発明は、癌や悪性腫瘍等の治療法の一つである温熱療法を行なうハイパーサーミア装置に必要な、被治療患部の温度を非侵襲的に測定するための温度計測装置に関する。
【背景技術】
【０００２】
癌の腫瘍部を加熱、昇温することによって癌治療を行うハイパーサーミアでは、生体内の温度計測が重要である。この治療法は正常な組織は加熱すると血流の増加による冷却機能が働くのに対し、癌組織はその機能がないため腫瘍部のみ温度が上昇するという癌本来の性質を利用した治療法である。この治療法では、癌などのターゲットを４３〜４５℃程度に加温することが、その治療効果を達成する上で重要である。他方、正常組織についてはなるべく温度上昇させないようにする必要があり、温度測定および温度コントロールが大きな課題となっている（例えば非特許文献１参照。）。
【０００３】
【非特許文献１】菅原勉、「がんと闘うハイパーサーミア」、金芳堂、１９８６年
【０００４】
その実現のためには任意生体断面の温度分布を非侵襲的に画像計測する技術の開発が望まれている。現在は生体に熱電対やサーミスタ等の温度計を挿入することにより温度を計測しているが、有限個の点について温度の測定ができるにすぎず、２次元での温度分布をとらえることが難しいばかりか、生体に傷をつけるという点で問題である。
【０００５】
そこで、これらに鑑み、いくつかの提案がなされている（例えば、特許文献１、２参照。）。これは各種ビームを用いたＣＴ(Computed Tomography)により、加温前と加温後の断層データを求め、その変化より上昇した温度を求めるというものである。
【０００６】
【特許文献１】特開昭６３−５９９５１
【０００７】
【特許文献２】特開昭２００１−５０８２３
【発明の開示】
【発明が解決しようとする課題】
【０００８】
しかしながら、これらの提案は原理的な考えを述べたものであり、実際には実行不可能である。なぜならば、ハイパーサーミアのように加熱前と加熱後で５℃以下の温度差しかない場合は、加熱前後の温度差によるＸ線などのビームの透過データの差は、資料周囲と資料中の透過データの差に比べて非常に小さく、それぞれを再構成アルゴリズムで再構成しその差をとっても差は現れて来ない。つまり、加熱前後の温度差による透過データの差は再構成アルゴリズムの計算中では誤差の範疇に入ってしまうからである。
【課題を解決するための手段】
【０００９】
Ｘ線ＣＴ法と同じように超音波ＣＴ法は主に生体の断層像を得るための方法であるが、超音波はＸ線のように放射線障害が起こらないので簡単な装置で測定できる利点がある。超音波ＣＴ法では音波の到達時間を測定することによって物体内部の音速分布を得ることができるが、本方法は音速が温度によって変化する性質を利用して、非加熱時と加熱時の音速差から物質中の内部の温度分布を非侵襲的に測定する方法を与える。
【００１０】
普通、生体の断層像を求めるための超音波ＣＴ法では、生体を水中において行なう。これは、生体の大部分の組成が水分であるため、超音波を透過しやすくするためである。
【００１１】
しかし、断層像は現れるが、生体と水では音速差が大きすぎるため、加熱前後の温度変化によるわずかな音速差は再構成アルゴリズム中ではノイズと同じレベルになりその差は現れてこない。
【００１２】
微小な音速差を測定するためには、周囲の媒体を水ではなく、生体に近い音速を持った媒体を用いることが必要である。そこで、溶液の濃度を変えることによって任意の音速の溶液を作ることができるので、計測しようとしている生体の音速に近い溶液中に資料物体を浸すことによって、資料物体中の加熱前後の微小な音速差から温度差を非侵襲的に測定できるようになる。
【発明の効果】
【００１３】
本発明によれば、これまで不可能であった生体内のある断面における加熱前と加熱後の微小な温度差を非侵襲的に測定することが可能となる。その分布像を二次元的に表示することにより、患部が所定の温度で加温されているか、また他の部分が無用に加温されていないかを容易に確認できる。よって、癌のハイパーサーミアを安全に且つ効果的に実施することができ、実際の癌の医療に役立つものとなる。
【実施例】
【００１４】
図1において、資料（患者）1が超音波発信子５と受信子６に挟まれて置かれている。超音波発信子５と受信子６は水槽２の下にあるＸ方向パルスステージ３と回転方向パルスステージ４によって、Ｘ方向と回転方向に移動することができるようになっており、超音波ＣＴを実行できる。また、資料１はＺ軸パルスステージ７によって、垂直方向に移動できる。
【００１５】
図２において、パルスステージはパーソナルコンピュータ１２によって制御されたパルスコントローラ８によって稼動する。超音波パルスはパルスジェネレータ９によって発信子５で発信され、その波が受信子６に到着するまでの時間をユニバーサルカウンタ１０で測定する。水槽内の温度は熱電対１３を用い、ディジタルマルチメータ１１で測定する。
【００１６】
各種資料中の音速は図３に示したように、温度によって変化する。また、図４にグルコース溶液中の音速の温度と濃度による変化を示す。
【００１７】
寒天で擬似生体を作り、加熱前と加熱後の音速分布を超音波ＣＴで測定する。図５が加熱前の寒天の音速分布の例である。図６が加熱後の寒天の音速分布の例である。図７が図６から図５を差し引いた音速差を図３の音速と温度の関係から温度に換算した温度分布である。
【００１８】
図７から図５、図６に現れている寒天中の孔が消えていることからわかるように、組織構造による音速差や、加熱前の温度分布による音速差は、差引することにより消えてしまい、図７では温度上昇のみが現れる。寒天と水は図３に示すように音速差はほとんどないので、図７に示すように１℃以下の小さな温度差でも計測できる。
【００１９】
生体の場合も周囲の液体として水ではなく、生体に近い音速を持ったグルコース溶液を用いれば同様に１℃以下の温度差も測定することができる。
【００２０】
図４のグルコース溶液中の音速は次式で表せる。
【００２１】
【数１】
2006254977.tif 000002
ここで、ｖ：音速（m/s）、ｔ：温度（℃）、ｗ：グルコース重量（％）である。
【００２２】
周囲の媒体の温度は熱電対で測定しているので、音速差を温度差に変換する際には、図３に示された各生体中の音速と温度の関係式の勾配のみが必要となる。図から見てわかるように、各生体で勾配はほとんど変わらないので各生体の音速と温度の関係式を詳しく求める必要はない。
【産業上の利用可能性】
【００２３】
ハイパーサーミア装置における温度測定装置として利用できる。
【図面の簡単な説明】
【００２４】
【図１】本発明を実現するための実験装置である。
【図２】実験装置の計測制御システムの流れを示した図である。
【図３】水、寒天、生体中の音速と温度の関係を示した図である。
【図４】グルコース溶液中の音速に及ぼす、温度と濃度の影響を示した図である。
【図５】加熱する前の擬似生体の音速分布を示した図である。
【図６】加熱後の擬似生体の音速分布を示した図である。
【図７】加熱後から加熱前の音速を差し引き、その音速差を温度に換算することによって得られた温度分布を示した図である。
【符号の説明】
【００２５】
１  資料
２  水槽
３  Ｘ方向パルスステージ
４  回転パルスステージ
５  超音波発信子
６  超音波受信子
７  Ｚ軸パルスステージ
８  パルスコントローラ
９  パルスジェネレータ
１０  ユニバーサルカウンタ
１１  ディジタルマルチメータ
１２  熱電対
【図１】
2006254977.tif 000003
【図２】
2006254977.tif 000004
【図３】
2006254977.tif 000005
【図４】
2006254977.tif 000006
【図５】
2006254977.tif 000007
【図６】
2006254977.tif 000008
【図７】
2006254977.tif 000009